(57)【要約】【課題】工場の緑地面積を増加させるための簡便かつ経済的な緑化方法を提供する。【解決手段】工場内建築物の起立壁面部と当該起立壁面部に沿って設置されている室外機との間に植物を植栽し、当該起立壁面部と室外機とを覆うように植物支持材を設け、植物を植物支持材に沿って定植させることを特徴とする工場の緑化方法。【選択図】図２
2014193144.tif 000002
【特許請求の範囲】
【請求項１】
工場内建築物の起立壁面部と前記起立壁面部に沿って設置されている室外機との間に植物を植栽し、
前記起立壁面部の下部と前記室外機とを覆うように植物支持材を設け、
前記植物を前記植物支持材に沿って定植させることを特徴とする工場の緑化方法。
【請求項２】
前記起立壁面部と前記室外機との間に植物用ポットを設け、
前記室外機のドレイン排出口を前記植物用ポット内に配置することを特徴とする請求項１に記載の工場の緑化方法。
【発明の詳細な説明】
【技術分野】
【０００１】
本発明は工場の緑化方法に関し、より具体的には、工場の緑地面積を有効に増加させるための簡便かつ経済的な緑化方法に関する。
【背景技術】
【０００２】
工場の立地が環境の保全（特に緑化）を図りつつ適正に行われるために、工場立地法によって工場の敷地面積の２０％以上を緑地とすることが定められている。当該規定により、工場立地時においては生産施設の面積やレイアウト等に加え、緑地についても検討を行う必要がある。
【０００３】
ここで、工場立地法における「敷地」とは、樹木等が生育した土地や花壇のみを意味するのではなく、緑化を施した屋上や壁面も一定条件のもとに敷地として算入することが認められている。このため、土地の有効活用を目的とした工場の屋上緑化等が盛んに試みられている。
【０００４】
例えば、特許文献１（特開２０１０−１７８６９２号公報）では、建物の屋上を緑化するための屋上緑化構造であって、建物の屋上に設けられ、植物が定植された栽培槽と、屋上の表面に沿って設けられ、栽培槽から伸長する植物を支持するための網材と、栽培槽の外部から当該栽培槽に接続する配管とを備え、当該配管は網材の上に配置され、当該網材を屋上の表面に押し付けるように屋上に固定されていることを特徴とする屋上緑化構造が開示されている。
【０００５】
上記特許文献１の屋上緑化構造においては、屋上緑化を行うべく屋上に設けられた栽培槽から伸長した植物を屋上表面に支持するために、屋上表面に設けられた網材を、簡易な構成で、屋上の表面に確実に固定することができるとしている。
【先行技術文献】
【特許文献】
【０００６】
【特許文献１】特開２０１０−１７８６９２号公報
【発明の概要】
【発明が解決しようとする課題】
【０００７】
しかしながら、上記特許文献１の屋上緑化構造においては、工場の屋上を緑化するために屋上を緑化専用の構造にする必要があり、コストの負担が極めて大きい。また、工場の壁面を緑化するにしても、緑化に適した壁面構造が要求されることが多い。
【０００８】
以上のような従来技術における問題点に鑑み、本発明の目的は、工場の緑地面積を有効に増加させるための簡便かつ経済的な緑化方法を提供することにある。
【課題を解決するための手段】
【０００９】
本発明者は上記目的を達成すべく、緑化の方法や場所等について鋭意研究を重ねた結果、簡便かつ経済的に工場の緑化を達成するためには、工場に設けられている室外機を利用することが極めて有効であることを見出し、本発明に到達した。
【００１０】
即ち、本発明は、工場内建築物の起立壁面部と当該起立壁面部に沿って設置された室外機との間に植物を植栽し、当該起立壁面部の下部と室外機とを覆うように植物支持材を設け、植物を植物支持材に沿って定植することを特徴とする工場の緑化方法を提供する。
【００１１】
工場内建築物の起立壁面部に沿って設置されている室外機を利用して植物支持材を設けることで、専用の壁面緑化設備を設けることなく、植物の定植を図ることができる。また、植物を定植させた領域は一定条件下において工場立地法で求められる緑地面積に算入することができ、算入できる緑地面積の増加分を他の用途に有効活用することができる。
【００１２】
加えて、植物が定植した植物支持材で室外機が覆われることで、当該室外機及び周辺空気の温度上昇が抑制され、当該室外機の稼働効率を向上させることができる。これにより、工場の消費エネルギーの低減を図ることができる。
【００１３】
また、本発明の工場の緑化方法においては、起立壁面部と室外機との間に植物用ポットを設け、室外機のドレイン排出口を植物用ポット内に配置することが好ましい。室外機は定期的又は常時稼働しているため、室外機のドレインから排出される水分を植物に与えることができる。
【００１４】
室外機のドレインから排出される水分が植物に供給されることで、植物の植栽に関する維持管理等の手間を省くことができる。これにより、植物の植栽に関する人件費を削減することができ、加えて、節水にも資することになる。
【発明の効果】
【００１５】
本発明によれば、工場の緑地面積を有効に増加させるための簡便かつ経済的な緑化方法を提供することができる。具体的には、特殊な壁面緑化設備を設けることなく工場立地法で求められる緑地面積を増加させることができる。
【００１６】
また、室外機の稼働効率の向上により、工場の消費エネルギーを低減することができる。更には、植物の植栽に関する人件費の削減及び節水をも達成することができる。
【図面の簡単な説明】
【００１７】
【図１】本発明の工場の緑化方法の一例を示す側面図である（植物の記載なし）。
【図２】本発明で用いる植物支持材の一例を示す斜視図である。
【図３】本発明の工場の緑化方法の一例を示す側面図である（植物の記載あり）。
【図４】本発明の工場の緑化方法の一例を示す平面図である（植物支持材の記載なし）。
【図５】本発明の工場の緑化方法の一例を示す平面図である（植物支持材の記載あり）。
【発明を実施するための形態】
【００１８】
以下、図面を参照しながら本発明の工場の緑化方法の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００１９】
図１は、本発明の工場の緑化方法の一例を示す側面図である（植物の記載なし）。工場内建築物２の起立壁面部と室外機４との間に、植物用ポット６が設置されている。また、室外機４を利用して、室外機４と工場内建築物２の起立壁面部の下部とを覆うように、植物支持材１４が設けられている。
【００２０】
室外機４のドレイン排出口８は植物用ポット６内に配置され、室外機４の稼働に伴って排出される水分を植物用ポット６内に供給することができることから、定期的に必要となる植物への水やりのメンテナンス工数を削減することができる。その結果、人件費を削減することができ、節水にも資することになる。ここで、植物用ポット６は必須ではなく、地面に直接植物を植栽してもよいが、その場合であってもドレイン排出口８を用いて植物に水を与えることができる。
【００２１】
また、工場内建築物２に設置されている雨水配管１０には分岐配管１２が設けられており、分岐配管１２の下端部は植物用ポット６内又は直上に配置されている。工場内建築物２の屋根を伝って雨水配管１０に集められた雨水は、通常はそのまま系外に排出される。これに対して本発明では、雨水配管１０に分岐配管１２を設けることで、適量の雨水を植物用ポット６に供給することができる。
【００２２】
分岐配管１２の大きさや形状等を適宜調整等することにより、植物用ポット６に植栽させた植物への雨水供給量を任意に制御することができる。雨水供給量を制御するために、分岐配管１２に雨水供給量を制御するための弁やコック等を設けてもよい。ドレイン排出口８から供給される水分のみならず、分岐配管１２を用いた雨水の供給によっても、定期的に必要となる植物への水やりを低減することができる。これにより、人件費を削減することができ、節水にも資することになる。
【００２３】
植物用ポット６の材質は特に限定されないが、セラミックスやステンレス等の、長期間屋外に設置しても紫外線による劣化が少なく、水に対する耐腐食性に優れたものを用いることが好ましい。
【００２４】
図２は、本発明で用いる植物支持材１４の一例を示す斜視図である。植物支持材１４は、例えばプラスチック製の骨材で構成されており、工場内建築物２の起立壁面部に略当接する状態で設置される。また、植物支持材１４の一端は室外機４によって支持され、植物支持材１４は工場内建築物２の起立平面部と室外機４との間を覆うように設置される。
【００２５】
植物支持材１４には、本発明の効果を損なわない範囲で従来公知の種々の布状カバー、網材、金属及び樹脂製のフレーム等を用いることができるが、経時劣化が生じ難い、耐環境性に優れたものを用いることが好ましい。
【００２６】
また、植物支持材１４によって起立壁面部が覆われる高さは特に制限されないが、１ｍ以上とすることが好ましい。起立壁面部の緑地化領域においては、高さ方向で１ｍまでが緑地として認められるため、当該緑地化面積分の土地を別の目的として有効活用することができる。
【００２７】
植物支持材１４及び植物で室外機４を覆うことで、室外機４の稼働効率が向上するという付随効果も得ることができる。室外機４に日除けカバー等が設置されていない場合、日射を遮るものがないため、室外機４や吸入空気の温度が上昇し、冷媒を空冷するための熱交換効率が低下する。当該熱交換効率の低下により、空調効率が低下するため、無駄な電力消費が生じることとなる。
【００２８】
これに対し、植物支持材１４及び植物で室外機４が覆われることで、室外機４及び吸入空気の温度を低下させることができ、無駄な電力消費を抑制することができる。また、植物支持材１４の構造及び熱伝導率や、植物２０の集積具合等により、室外機４及び吸入空気の温度低下に及ぼす影響を調整することができる。
【００２９】
図３は、本発明の工場の緑化方法の一例を示す側面図である（植物の記載あり）。植物用ポット６に植えられた植物２０は植物支持材１４に沿って成長し、植物支持材１４に定植する。ここで、植物２０は必ずしも植物用ポット６に植えられる必要はなく、地面に直接植えられてもよい。
【００３０】
植物２０の種類は本発明の効果を損なわない範囲で従来公知の種々の植物を用いることができ、特に限定されないが、植物支持材１４に良好に定植するという観点から、ヘデラ及びアメリカツルマサキ等のつる植物を用いることが好ましい。
【００３１】
図４は、本発明の工場の緑化方法の一例を示す平面図である（植物支持材の記載なし）。植物用ポット６は、室外機４と工場内建築物２の起立壁面部との間に設置されることが好ましい。
【００３２】
ここで、本発明の工場の緑化方法に用いる室外機４は１つに限られず、工場に設置されている室外機４の全てを活用することができる。室外機４は１工場当たり２０〜５０台程度設置されていることも多く、これら全ての室外機４を有効利用することで、極めて効率的に工場の緑化を図ることができる。
【００３３】
図５は、本発明の工場の緑化方法の一例を示す平面図である（植物支持材の記載あり）。植物支持材１４は室外機４を利用して設置される。基本的には１つの室外機４に対して１つの植物支持材１４が設置されるが、室外機４の設置間隔等を考慮して、複数の室外機４に対して連続した植物支持材１４を設けてもよい。
【００３４】
以上、本発明の代表的な実施形態について説明したが、本発明はこれらのみに限定されるものではなく、種々の設計変更が可能であり、それら設計変更は全て本発明の技術的範囲に含まれる。
【産業上の利用可能性】
【００３５】
本発明は、工場の緑地面積を有効に増加させるための緑化方法として利用することができる。
【符号の説明】
【００３６】
２・・・工場内建築物
４・・・室外機
６・・・植物用ポット
８・・・ドレイン排出口
１０・・・雨水配管
１２・・・分岐配管
２０・・・植物
【図１】
2014193144.tif 000003
【図２】
2014193144.tif 000004
【図３】
2014193144.tif 000005
【図４】
2014193144.tif 000006
【図５】
2014193144.tif 000007